(57)【要約】【課題】  内容物の振り出し後、使用者が特に意識することなく直ぐに振り出し口を塞ぐことができるキャップ構造の創出を課題とする。【解決手段】  注出用キャップにおいて、中空容器の口筒部に嵌合する有頂筒状の嵌合筒の頂板に連通状に注出筒を起立設したキャップ本体と後端部に付設した蝶番突片により、キャップ本体の後端部に蝶番を介して開閉自在に組み付き、注出筒を密閉状に覆う蓋体と、頂板上面に前後方向に形成されたスライド溝を、長円状の長孔から注出筒を突出した状態でスライド状に移動するスライド板片の前端から押板片を垂下設した操作体を有し、嵌合筒の前部と押板片の間に、操作体を前方に付勢する弾性板片を配設し、蝶番に蓋体を閉方向に付勢するスプリングを配設し、押板片の押圧により、スライド板がスライド溝に沿って後方に移動し、スライド板の後端部により蝶番突片を回動して、蓋体を開状態となるように、そして押圧の解除により、弾性板片の弾性回復によりスライド板がスライド溝に沿って前方に移動し、スプリングの付勢により蓋体が閉状態となるように構成する。【選択図】図１
2006103691.tif 000002
【特許請求の範囲】
【請求項１】
中空容器(31)の口筒部(32)に嵌合する有頂筒状の嵌合筒(3)の頂板(4)に連通状に注出筒(5)を起立設したキャップ本体(2)と、後端部に付設した蝶番突片(13)により、前記キャップ本体(2)の後端部に蝶番(H)を介して開閉自在に組み付き前記注出筒(5)の注出口を密閉状に覆う蓋体(11)と、前記頂板(4)上面に前後方向に形成されたスライド溝(4b)を、長円状の長孔(24)から前記注出筒(5)を突出した状態でスライド状に移動するスライド板片(23)の前端から押板片(22)を垂下設した操作体(21)を有し、前記嵌合筒(3)の前部と押板片(22)の間に、操作体(21)を前方に付勢する弾性板片(8)を配設し、前記蝶番(H)に蓋体(11)を閉方向に付勢するスプリング(S)を配設し、前記押板片(22)の押圧により、スライド板(23)がスライド溝(4b)に沿って後方に移動し、該スライド板(23)の後端部により前記蝶番突片(13)を回動して、蓋体(11)を開状態となるように、そして押圧の解除により、前記弾性板片(8)の弾性回復によりスライド板(23)がスライド溝(4b)を前方に移動し、スプリング(S)の付勢により蓋体(11)が閉状態となるように構成した注出用キャップ。
【請求項２】
嵌合筒(3)の外周面前部を基端として、斜め前方に弾性板片(8)を突設し、先端を操作体(21)の押板片(22)に上下方向に摺動可能に当接するように構成した請求項１記載の注出用キャップ。
【請求項３】
スライド板(23)の前端に係止突片(26)を付設し、閉状態で、蓋体(11)の前端部に付設した係止片(16)が前記係止突片(26)に乗り越え係止する構成とした請求項１または２記載の注出用キャップ。
【請求項４】
蓋体(11)の頂壁(14)下面およびスライド板(23)の上面に、それぞれ傾斜突片(15、25)を付設し、押板片(22)の押圧による両傾斜突片(15,25)の傾斜面に沿っての摺動により、蓋体(11)が開方向に持ち上げ可能に構成した請求項１、２または３記載の注出用キャップ。
【発明の詳細な説明】
【技術分野】
【０００１】
本願の発明は、内容物を収納する容器の口筒部に装着して使用する注出用キャップに関する。
【背景技術】
【０００２】
特許文献１には、粉体容器に関する従来技術等が詳細に記載されている。たとえば胡椒や唐辛子等を収容したものでは、複数の振り出し用の孔を形成した中蓋を有し、孔からの湿気の進入等を防ぐために、使用後は外蓋をするようにしている。
【特許文献１】特開２００４−１２３１４３号公報
【発明の開示】
【発明が解決しようとする課題】
【０００３】
しかしながら、たとえば内容物が制汗剤のように粉末が極く微粉状態であると、倒立姿勢で、容器を振って小孔から振り出し後に、正立に戻しテーブル等に置いた際、その設置のショックにより、容器内部の粉が舞い上がるようにして外部に噴出し、テーブル上を汚したり、人がこの噴出した粉を吸い込む等の問題もある。
【０００４】
本発明は微粉体における上記問題を解消するために創案されたものであり、内容物の振り出し後、使用者が特に意識することなく直ぐに振り出し口を塞ぐことができるキャップ構造の創出を課題とする。
【課題を解決するための手段】
【０００５】
本願の発明のうち、請求項１記載の発明の手段は、
注出用キャップにおいて、
中空容器の口筒部に嵌合する有頂筒状の嵌合筒の頂板に連通状に注出筒を起立設したキャップ本体を有すること、
後端部に付設した蝶番突片により、キャップ本体の後端部に蝶番を介して開閉自在に組み付き、注出筒を密閉状に覆う蓋体を有すること、
頂板上面に前後方向に形成されたスライド溝を、長円状の長孔から注出筒を突出した状態でスライド状に移動するスライド板片の前端から押板片を垂下設した操作体を有すること、
嵌合筒の前部と押板片の間に、操作体を前方に付勢する弾性板片を配設し、蝶番に蓋体を閉方向に付勢するスプリングを配設すること、
押板片の押圧により、スライド板がスライド溝に沿って後方に移動し、スライド板の後端部により蝶番突片を回動して、蓋体を開状態となるように、そして押圧の解除により、弾性板片の弾性回復によりスライド板がスライド溝に沿って前方に移動し、スプリングの付勢により蓋体が閉状態となるように構成すること、
にある。
【０００６】
請求項１記載の上記構成により、使用時に指で操作体の押板片を押すとスライド板がキャップ本体の嵌合筒の頂板に前後方向に形成されたスライド溝に沿って後方に移動する。この際弾性板片は押板片と嵌合筒前部との間で大きく弾性変形していく、すなわち押板片の押圧操作はこの弾性板片の弾性的な反発力に逆らってなされる。
【０００７】
また、スライド板がスライド溝に沿って前後に移動するが、スライド板に形成した長円状の長孔から注出筒を突出した状態であり、注出筒と、長孔の前後周縁部との当接により前後方向の移動限界を決めることができる。また、たとえばスライド溝の側壁とスライド板の側部に前後方向に突条と凹溝を形成する等して、スライド板が上方に抜けないように構成しておく。
【０００８】
押圧をさらに続けると、スライド板の後端部が蓋体の後端部に当接し、さらに蝶番突片を蝶番の回動軸を中心にして回動し、蓋体を開状態となるようにすることができる。なおこの蓋体の開放は、蝶番に配設され蓋体を閉方向に付勢するスプリングの力に抗して実施される。
【０００９】
このように、蓋体を開状態として容器を倒立状態にして、内容物を注出筒の注出口から注出する。そして振り出し操作が終了した際に、指の力を緩めて押板片の押圧を解除すると、弾性板片の弾性回復力によりスライド板が前方に移動限界まで移動して元の状態になる。そして、同時にスライド板後端部の蓋体の後端部への当接が解消されると、蝶番に配設されたスプリングの反発力により蓋体は閉状態になり、注出口を塞ぐ。
【００１０】
このように、注出操作終了後、指による押圧操作を解消すれば使用者が特に意識することなく蓋体を閉状態にすることができ、たとえ内容物が極く微粉状のものであっても、正立状態に戻しテーブル等に置いた際、その設置のショックにより、容器内部の粉が舞い上がるようにして外部に噴出することもない。
【００１１】
ここで、本発明において閉状態とは蓋体を完全に閉めた状態だけでなく、その少し手前の状態も含む。使用目的によってスプリングの反発力小さくして、蓋体が完全には閉らないようにすることもあり、蓋体を完全に閉めて注出口を完全に密閉状にシールしないまでも、注出口を覆うようにして塞ぐことができれば微粉体の舞い上がりによる外部への噴出等は十分防ぐことができるからである。
【００１２】
一方、スプリングの反発力により蓋体が完全に閉まる構成とすれば、微粉状の内容物の噴出を防ぐだけでなく、たとえば閉め忘れによる湿気の進入を効果的に防止することができ、あるいは誤って容器を倒した際にも内容液の流出を防ぐという効果も発揮され、微粉末だけでなく固体、液体状の内容物にも便利に使用することができる。
【００１３】
請求項２記載の発明の手段は、請求項１記載の発明において、嵌合筒の外周面前部を基端として、斜め前方に弾性板片を突設し、先端を操作体の押板片に上下方向に摺動可能に当接するように構成すること、にある。
【００１４】
請求項２記載の上記構成は、嵌合筒の前部と押板片の間に、弾性板片を操作体を前方に付勢するように配設する具体例を示す構成であり、嵌合筒の外周面前部の下端部を基端として斜め上方向に突設することも、あるいは嵌合筒の外周面前部の上端部を基端として斜め下方向に突設することも可能であり、この弾性板片をキャップ本体に一体化して射出成形することができ、部材の組み立てを容易に実施することができる。
【００１５】
請求項３記載の発明の手段は、請求項１または２記載の発明において、スライド板の前端に係止突片を付設し、閉状態で、蓋体の前端部に付設した係止片が係止突片に乗り越え係止する構成とすること、にある。
【００１６】
請求項３記載の上記構成により、スライド板は押板片を介して弾性板片により前方に付勢された状態であるが後方へも移動可能な状態であり、蓋体を閉める際、容易に係止突片に係止片を乗り越え係止させることができ、一方蓋体を開く際にも、押板片を押すとこの係止状態は自動的に解消されるので、両者の係止により通常は蓋体を確実に閉状態とすることができると共に、使用にあたっては係止、脱係止を容易にでき、便利に使用することができる。
【００１７】
請求項４記載の発明の手段は、請求項１、２または３記載の発明において、蓋体の頂壁下面およびスライド板の上面に、それぞれ傾斜突片を付設し、押板片の押圧による両傾斜突片の傾斜面に沿っての摺動により、蓋体が開方向に持ち上げ可能に構成すること、にある。
【００１８】
たとえば蓋体に付設されたシール筒を外嵌して、注出筒の注出口を密閉状にしっかりと覆ったり、あるいは蓋体で、キャップ本体の上部にしっかり嵌合させた状態でキャップ本体の上部全体を覆う構成とした場合には、蓋体を持ち上げるのにかなりの力を要する場合がある。そこで請求項４記載の上記構成により、押板片を介してスライド板を後方へ移動させる力の作用の一部を、両傾斜突片の傾斜面に沿っての摺動により、蓋体を開方向に持ち上げる力に変換することができ、押圧操作により容易に蓋体をシール状態あるいは嵌合状態から開放することができる。
【発明の効果】
【００１９】
本願発明の注出用キャップの構成は上記のようであり、請求項１記載の発明にあっては、特に振り出し操作終了後、指による押圧操作を解消すれば使用者が特に意識することなく蓋体を閉状態とすることができ、たとえ内容物が極く微粉状のものであっても、正立に戻しテーブル等に置いた際、その設置のショックにより、容器内部の粉が舞い上がるようにして外部に噴出することもない。また微粉末だけでなく、固体、液体状の内容物にも便利に使用することができる。
【００２０】
請求項２記載の発明にあっては、弾性板片の配設方法の具体例を示す構成であり、弾性板片をキャップ本体に一体化して射出成形することができ、部材の組み立てを容易に実施することができる。
【００２１】
請求項３記載の発明にあっては、係止片の係止突片への乗り越え係止により通常は蓋体を確実に閉状態とすることができると共に、使用にあたっては係止、脱係止を容易にでき、便利に使用することができる。
【００２２】
請求項４記載の発明にあっては、押板片を介してスライド板を後方へ移動させる力の作用の一部を、両傾斜突片の傾斜面に沿っての摺動により、蓋体を開方向に持ち上げる力に変換することができ、押圧操作により容易に蓋体をシール状態あるいは嵌合状態から開放することができる。
【発明を実施するための最良の形態】
【００２３】
以下、本発明の実施の形態を図面を参照しながら説明する。図１〜図５は本発明の注出用キャップの一実施例であり、容器本体３１の口筒部３２に装着した状態を示す。この注出用キャップ１は主としてキャップ本体２、蓋体１１、および操作体２１の３つの部材から構成され、各部材は合成樹脂製の射出成形品である。なお、図１〜図４中に注出用キャップ１の部位、おび方向性を明確にするため、白抜き矢印と共に、前（方向）にはＦ、後（方向）にはＢなる符合を入れた。
【００２４】
キャップ本体１は口筒部３２に外嵌状に組み付き固定する有頂円筒状の嵌合筒３を有し、頂板４からシール筒片６が垂下設され、口筒部３２にシール状に嵌入している。また頂板４に形成された開口部４ａの周縁から有頂短円筒状の注出筒５が起立設しており、この注出筒５の頂壁には複数の（本実施例では４ケ）注出小孔５ａが形成されており、注出口、すなわち内容物の振り出し口となる。
【００２５】
また、頂板４を前後の部分を除いて外鍔状に円形に延設し、この延設した頂板４の周縁から円筒状の外装筒７を垂下設し、嵌合筒３を外装すると共に、容器本体３１の上端部を覆うようにしている。
【００２６】
また、延設した頂板４上には前後方向に浅溝状のスライド溝４ｂが形成されており、後端部には一対の蝶番片９が配設されている。また、嵌合筒３前部の下端部を基端として薄板状の弾性板片８が斜め上方に突設されている。この弾性板片８は図１の状態では、押板片２２を前方に付勢した状態で、その先端部を上下方向に摺動可能に押板片２２に当接している。またこの弾性板片８はキャップ本体２に一体化して射出成形することができる。
【００２７】
蓋体１１は、全体として有頂短円筒状であり、頂壁１４下面から注出筒５を密閉状に外嵌するシール筒片１２が垂下設されている。またこのシール筒片１２を挟んで一対の傾斜突片１５が付設されている。また、側周壁の前部内周面には係止片１６が付設されている。
【００２８】
また、蓋体１１の後端部には蝶番突片１３が付設されており、キャップ本体２の一対の蝶番片９と共に蝶番Hを構成し、この蝶番Hを介してキャップ本体２の後端部に開閉自在に組み付く。そしてこの蝶番Hには図２示したようなスプリングＳが配設されており、このスプリングＳの作用により蓋体１１は閉方向に付勢された状態にある。なお、スプリングＳには図２に示した金属製のコイル状のものに限らず、たとえば合成樹脂製の板ばね状のもの、エラストマー製でゴム弾性を利用したもの等、目的に応じて各種スプリング作用を発揮するものを使用することができる。
【００２９】
操作体２１は長円状の長孔２４を形成したスライド板２３を有し、このスライド板２３の前端から押板片２２を垂下設した形状である。そして、スライド板２３は長孔２４から注出筒５を突出した状態でスライド溝４ｂ内に配設される。また、スライド板２３の側面に形成した凹溝２３ａを、スライド溝４ｂの側壁に形成した突条４ｃに嵌合させてスライド板２３の上方への抜けを防止している。
【００３０】
操作体２１の前後方向の移動限界位置は、長孔２４の注出筒５への当接により決められる。図１で操作体２１は前方限界位置にあり、この状態でキャップ本体２の弾性板片８の先端が上下方向への摺動可能に当接しているが、この状態でも押圧板２２を介して操作体２１は前方へ付勢された状態にある。
【００３１】
次に、本実施例の注出用キャップ１の使用の態様を説明する。図１〜図３は保管時の状態で、押板片２２は前方限界位置にあり、蓋体１１は閉状態である。また図４および図５は押板片２２を後方限界位置まで押し込んだ状態、すなわちスライド板２３の長孔２４の前方周縁部が注出筒５に当接した状態であり、蓋体１１は開状態にある。
【００３２】
使用時に指で操作体２１の押板片２２を押すと（図５中の黒矢印の方向参照）、まず、スライド板２３が嵌合筒３の頂板４に形成されたスライド溝４ｂに沿って後方に移動変位することにより、蓋体１１の係止片１６のスライド板２３前端に付設された係止突片２６への乗り越え係止状態が脱係止する。
【００３３】
押圧を続けると、蓋体１１の頂壁１４下面、およびスライド板２３に、それぞれ付設した傾斜突片１５と傾斜突片２５が当接し、両傾斜面に沿って摺動し、蓋体１１を開方向に持ち上げる力が作用して、蓋体１１のシール筒片１２の注出筒５への密閉状の嵌合状態を容易に脱嵌合させることができ、スムーズに蓋体１１の開放をスタートさせることができる。
【００３４】
さらに、押板片２２の押圧を続けると、スライド板２３の後端部が蓋体１１の後端部に当接し、さらに蝶番突片１３を蝶番Ｈの軸Ｓｈ回りに回動し、蓋体１１を開状態へと動かす（図５中の白抜き矢印の方向参照）。なおこの蓋体１１の開放は、蝶番Ｈに配設され、蓋体１１を閉方向に付勢するスプリングＳの力に抗して実施される。また一連の押圧操作により、弾性板片８は大きく変形していき、最終的には図４に示したような形状にまで弾性変形する。
【００３５】
このように、蓋体１１を開状態として容器を倒立状態にして、振って、内容物を注出小孔５ａから振り出す。そして振り出し操作が終了した際に、指の力を緩めて押板片２２の押圧を解除すると、弾性板片８の弾性回復力によりスライド板２３が前方限界まで移動して元の状態になる。
【００３６】
そして、同時にスライド板２３後端部の蓋体１１後端部への当接が解消され、蝶番Ｈに配設されたスプリングの反発力により蓋体１１は閉状態に戻り、シール筒片１２で注出筒５を密封状にすることができる。
【００３７】
ここで、微粉体等の噴出を防止する目的のためには、必ずしも蓋体１１が図１に示されるように完全に閉まる必要はなく、シール筒片１２の先端が注出筒５に軽く外嵌する程度であっても良く、使用目的に応じて、シール筒片１２のシール強度、あるいはスプリングＳの反発力を選択して、どの程度まで閉まるようにするかを設定することができる。
【００３８】
なお、本発明は上記実施例に限定されるものではない。たとえば、弾性板片は操作体側に一体成形することもでき各部材の射出成形性を考慮してその付設位置を選択することができる。また、本実施例ではキャップ本体と蓋体を別部材としたが、たとえば一体成形で蝶番部分を構成することもできる。
【産業上の利用可能性】
【００３９】
本発明の注出用キャップは内容物の注出直後に使用者が特に意識することなく、蓋で注出口を覆うことができるものであり、極く微粉状の内容物の噴出を防ぐだけでなく、たとえば閉め忘れによる湿気の進入を効果的に防止することができる、あるいは誤って容器を倒した際にも内容液の流出を防ぐという効果も発揮されるものであり、微粉末だけでなく固体、液体状の内容物にも便利に使用でき、食品、医薬品、化粧品等のさまざまな分野での展開が期待される。
【図面の簡単な説明】
【００４０】
【図１】本願発明の注出用キャップの一実施例を、中空容器に取り付けた状態で図２中のＸ−Ｘ線に沿って示す縦断側面図である。
【図２】図１の注出用キャップを蓋体を取り除いた状態で示す平面図である。
【図３】図１の注出用キャップを図２中のＹ−Ｙ線に沿って示す縦断正面図である。
【図４】図１において蓋体が開いた状態を示す縦断側面図である。
【図５】図４の状態を示す斜視図である。
【符号の説明】
【００４１】
１  ；注出用キャップ
２  ；キャップ本体
３  ；嵌合筒
４  ；頂板
４ａ；開口部
４ｂ；スライド溝
４ｃ；突状
５  ；注出筒
５ａ；注出小孔
６  ；シール筒片
７  ；外装筒
８  ；弾性板片
９  ；蝶番片
１１；蓋体
１２；シール筒片
１３；蝶番突片
１４；頂壁
１５；傾斜突片
１６；係止片
２１；操作体
２２；押板片
２３；スライド板
２３ａ；凹溝
２４；長孔
２５；傾斜突片
２６；係止突片
３１；中空容器
３２；口筒部
Ｆ  ；前
Ｂ  ；後
Ｈ  ；蝶番
Ｓ  ；スプリング
Ｓｈ；軸
【図１】
2006103691.tif 000003
【図２】
2006103691.tif 000004
【図３】
2006103691.tif 000005
【図４】
2006103691.tif 000006
【図５】
2006103691.tif 000007
【手続補正書】
【提出日】平成16年10月7日(2004.10.7)
【手続補正１】
【補正対象書類名】明細書
【補正対象項目名】００２３
【補正方法】変更
【補正の内容】
【００２３】
以下、本発明の実施の形態を図面を参照しながら説明する。図１〜図５は本発明の注出用キャップの一実施例であり、容器本体３１の口筒部３２に装着した状態を示す。この注出用キャップ１は主としてキャップ本体２、蓋体１１、および操作体２１の３つの部材から構成され、各部材は合成樹脂製の射出成形品である。なお、図１、図２および図４中に注出用キャップ１の部位、おび方向性を明確にするため、白抜き矢印と共に、前（方向）にはＦ、後（方向）にはＢなる符合を入れた。
【手続補正２】
【補正対象書類名】図面
【補正対象項目名】図３
【補正方法】変更
【補正の内容】
【図３】
2006103691.tif 000008